(57)【要約】      （修正有）【課題】気泡位置の修正が簡便に行える水準器を提供する。【解決手段】液体及び気泡を封入した気泡管測定部１を設けた取付体２を器体ケース３内に配設した水準器において、取付体２を器体ケース３に対して微動回動自在に設け、取付体２は器体ケース３の一側内面に対して弾圧当接する弾圧当接部８と、器体ケース３の対向反対側内面に対して押圧当接する調整ネジ９若しくは調整ネジ９の締め付けにより押圧当接する締付押圧当接部12とを設けた構成とし、調整ネジ９は前記器体ケース３内にして前記取付体２の側面に設けた螺合部10から取付体２に貫通状態に螺合配設して、器体ケース３の内面に対して傾斜方向から押圧当接するか、若しくは前記締付押圧当接部12を押圧するように構成し、調整ネジ９を螺動操作して螺合度合いによって取付体２を器体ケース３に固定すると共に取付体２を器体ケース３に対して微動回動調整して前記気泡管測定部１の気泡位置を修正する。【選択図】図１
2007040716.tif 000002
【特許請求の範囲】
【請求項１】
液体及び気泡を封入した気泡管測定部を設けた取付体を器体ケース内に配設し、この器体ケースに設けた窓孔から前記気泡管測定部を視認できる所定位置にこの取付基体を固定すると共に、この取付体を器体ケースに対して微動回動調整して前記気泡管測定部に封入した気泡位置を修正する構成とした水準器において、前記器体ケースに設けた貫通孔に連通合致する軸挿通孔を前記取付体に設け、この取付体を前記器体ケース内に配設し、この器体ケースの貫通孔に軸部材を貫通配設してこの軸部材を取付体の軸挿通孔に挿通配設することでこの取付体をこの軸部材を軸に器体ケースに対して微動回動自在に設け、この取付体は、器体ケースの一側内面に対して弾圧当接する弾圧当接部と、器体ケースの対向反対側内面に対して押圧当接する調整ネジ若しくは器体ケースの対向反対側内面に対して調整ネジの締め付けにより押圧当接する締付押圧当接部とを設けた構成とし、この調整ネジは、前記器体ケース内にして前記取付体の側面に設けた螺合部からこの取付体に貫通状態に螺合配設して、器体ケースの内面に対して傾斜方向から押圧当接するように構成し、若しくは器体ケースの内面に対して傾斜方向から前記締付押圧当接部を押圧するように構成し、この調整ネジを螺動操作して調整ネジの螺合度合いによって前記弾圧当接部の弾圧度合いを変化することで取付体を器体ケースに固定すると共に取付体を器体ケースに対して微動回動調整して前記気泡管測定部の気泡位置を修正し得るように構成したことを特徴とする水準器。
【請求項２】
前記取付体は、この取付体に設けた気泡管測定部を介して一端側に前記軸部材を嵌挿配設する軸挿通孔を設け、他端側に前記弾圧当接部及び螺合部を設けた構成とし、この取付体を器体ケースの端部開口部からこの器体ケース内に挿入配設し得るように構成すると共に前記調整ネジをこの器体ケースの端部開口部からこの器体ケースの内面に向けて傾斜状態に取付体に設けた構成としたことを特徴とする請求項１記載の水準器。
【請求項３】
前記取付体の弾圧当接部は、この取付体の端部に設けた撓み屈曲自在な湾曲板状部としたことを特徴とする請求項１〜２のいずれか１項に記載の水準器。
【請求項４】
前記取付体の螺合部は、この取付体の端部に設けた先細り形状部に貫通状態に設けた構成としたことを特徴とする請求項１〜３のいずれか１項に記載の水準器。
【請求項５】
前記取付体は、前記弾圧当接部及び螺合部を、この取付体を樹脂成形するに際して一体成形により設けた構成としたことを特徴とする請求項１〜４のいずれか１項に記載の水準器。
【請求項６】
前記軸部材は円柱状若しくは円筒状に形成して、前記器体ケースの貫通孔に圧入することでこの貫通孔に貫通配設する構成とし、前記取付体の軸挿通孔はこの軸部材と略合致する形状に形成して、この軸部材の外周面に対して取付体の軸挿通孔の内面が摺り動して微動回動し得るように構成したことを特徴とする請求項１〜５のいずれか１項に記載の水準器。
【発明の詳細な説明】
【技術分野】
【０００１】
本発明は、気泡及び液体を封入した気泡管測定部により水平度若しくは垂直度を測定する水準器に関するものである。
【背景技術】
【０００２】
気泡及び液体を封入した気泡管測定部を器体ケースに設け、この器体ケースを、測定したい測定面に当てがい前記気泡管測定部の気泡位置により測定面の水平度若しくは垂直度を測定するように構成したこの種の水準気においては、一般に、樹脂成形した取付体に気泡管測定部を設け、この取付体を器体ケース内に配設し、この器体ケースに設けた窓孔から取付体に設けた気泡管測定部が視認できるようにこの取付体を器体ケース内の所定位置に固定する構成である。
【０００３】
また、器体ケース内に固定した取付体の固定姿勢が狂っていた場合、この取付体に設けた気泡管測定部の気泡位置が狂ってしまう為、この種の水準器においては、器体ケース内の取付体を微動調整（微動回動調整）して取付体の固定姿勢の修正、つまり、気泡管測定部の気泡位置を修正する機能を備えたものも数多く提案されている。
【０００４】
このように、器体ケース内に配設した取付体の固定姿勢を修正して気泡位置を修正する構成としては従来から様々な構成が提案されているが、一般的には、器体ケースの外部から器体ケース内に固定した取付体に向けてネジを螺合配設し、このネジの螺合度合いによって取付体を微動調整若しくは微動回動調整して固定姿勢を修正し、前記気泡位置を修正するように構成している。
【０００５】
従って、この器体ケース内に配設した取付体の固定姿勢を修正して気泡位置を修正する為の前記ネジが、器体ケースの外部から取付体に向けて螺合配設されている為に、このネジが器体ケースの外部から見える位置に露出状態に設けらているが為に見た目の体裁が悪いうえに、螺合度合いによって取付体の固定姿勢を決定し気泡位置を決定する重要なバネに何かが当接し不意にネジが螺動して取付体の固定姿勢や気泡位置を狂わせてしまう場合があり、このネジの露出を防ぐ為にカバーなどの何らかの構成を備える必要があるなどの実用上の問題点を有した。
【発明の開示】
【発明が解決しようとする課題】
【０００６】
本発明は、従来から提案されている水準器に更なる研究開発を進め、器体ケース内に配設した取付体を調整ネジを締め付け操作するだけで簡単に器体ケース内に固定でき、この調整ネジを螺動操作してこの調整ネジの螺合度合いを調整するだけで簡単にこの取付体の固定姿勢を微動回動調整して気泡位置を修正でき、簡単に、且つ確実に器体ケースに取付体を正しい取付姿勢で固定できることは勿論、この調整ネジを器体ケース内に設けることができるから非常に体裁が良く、また、外部からの衝撃により調整ネジが不意に螺動して気泡位置が狂ったりする心配も一切無く、更に、簡易構成にして部品点数も少なくコストアップの問題もない極めて秀れた水準器を提供するものである。
【課題を解決するための手段】
【０００７】
添付図面を参照して本発明の要旨を説明する。
【０００８】
液体及び気泡を封入した気泡管測定部１を設けた取付体２を器体ケース３内に配設し、この器体ケース３に設けた窓孔４から前記気泡管測定部１を視認できる所定位置にこの取付基体２を固定すると共に、この取付体２を器体ケース３に対して微動回動調整して前記気泡管測定部１に封入した気泡位置を修正する構成とした水準器において、前記器体ケース３に設けた貫通孔５に連通合致する軸挿通孔６を前記取付体２に設け、この取付体２を前記器体ケース３内に配設し、この器体ケース３の貫通孔５に軸部材７を貫通配設してこの軸部材７を取付体２の軸挿通孔６に挿通配設することでこの取付体２をこの軸部材７を軸に器体ケース３に対して微動回動自在に設け、この取付体２は、器体ケース３の一側内面に対して弾圧当接する弾圧当接部８と、器体ケース３の対向反対側内面に対して押圧当接する調整ネジ９若しくは器体ケース３の対向反対側内面に対して調整ネジ９の締め付けにより押圧当接する締付押圧当接部12とを設けた構成とし、この調整ネジ９は、前記器体ケース３内にして前記取付体２の側面に設けた螺合部10からこの取付体２に貫通状態に螺合配設して、器体ケース３の内面に対して傾斜方向から押圧当接するように構成し、若しくは器体ケース３の内面に対して傾斜方向から前記締付押圧当接部12を押圧するように構成し、この調整ネジ９を螺動操作して調整ネジ９の螺合度合いによって前記弾圧当接部８の弾圧度合いを変化することで取付体２を器体ケース３に固定すると共に取付体２を器体ケース３に対して微動回動調整して前記気泡管測定部１の気泡位置を修正し得るように構成したことを特徴とする水準器に係るものである。
【０００９】
また、前記取付体２は、この取付体２に設けた気泡管測定部１を介して一端側に前記軸部材７を嵌挿配設する軸挿通孔６を設け、他端側に前記弾圧当接部８及び螺合部10を設けた構成とし、この取付体２を器体ケース３の端部開口部３ａからこの器体ケース３内に挿入配設し得るように構成すると共に前記調整ネジ９をこの器体ケース３の端部開口部３ａからこの器体ケース３の内面に向けて傾斜状態に取付体２に設けた構成としたことを特徴とする請求項１記載の水準器に係るものである。
【００１０】
また、前記取付体２の弾圧当接部８は、この取付体２の端部に設けた撓み屈曲自在な湾曲板状部８としたことを特徴とする請求項１〜２のいずれか１項に記載の水準器に係るものである。
【００１１】
また、記取付体２の螺合部10は、この取付体２の端部に設けた先細り形状部11に貫通状態に設けた構成としたことを特徴とする請求項１〜３のいずれか１項に記載の水準器に係るものである。
【００１２】
また、前記取付体２は、前記弾圧当接部８及び螺合部10を、この取付体２を樹脂成形するに際して一体成形により設けた構成としたことを特徴とする請求項１〜４のいずれか１項に記載の水準器に係るものである。
【００１３】
また、前記軸部材７は円柱状若しくは円筒状に形成して、前記器体ケース３の貫通孔５に圧入することでこの貫通孔５に貫通配設する構成とし、前記取付体２の軸挿通孔６はこの軸部材７と略合致する形状に形成して、この軸部材７の外周面に対して取付体２の軸挿通孔６の内面が摺り動して微動回動し得るように構成したことを特徴とする請求項１〜５のいずれか１項に記載の水準器に係るものである。
【発明の効果】
【００１４】
本発明は上述のように構成したから、器体ケース内に取付体を配設して器体ケースの貫通孔と取付体の軸挿通孔とを合わせて前記軸部材をこの貫通孔と軸挿通孔とに連通して、前記調整ネジを螺入操作するだけの簡単な作業でこの取付体を器体ケース内の所定位置に固定できる。
【００１５】
また、前記調整ネジを締め付け方向と反対方向に螺動操作して調整ネジ若しくは締付押圧当接部が器体ケースの内面に押圧当接しないようにしておけば、取付体を器体ケース内に配設する際に取付体と器体ケースの内面とが弾圧若しくは押圧当接せずスムーズにこの取付体を器体ケース内に入れ込む作業を行うことができ、よって、この器体ケースの貫通孔と取付体の軸挿通孔との位置合わせ作業も抵抗無くスムーズに行え、取付体の取り付け作業を効率良く行える。
【００１６】
また、取付体を器体ケース内に固定する為の調整ネジを螺動操作することでこの取付体を任意の方向に微動回動させる作業も行うことができ、よって、たった一本の調整ネジの螺合度合いにより弾圧当接部の弾圧度合いを変化させることで、取付体の固定と固定姿勢の調整（気泡位置の修正）の双方を簡単且つ確実に行うことができ、極めて作業効率良く取付体を器体ケースに固定できると共に、部品点数も少なくすみ生産性の向上を確実に図ることができる。
【００１７】
また、調整ネジは、器体ケースの外部からこの器体ケース内の取付体に向けて螺合配設するのではなく、器体ケース内からこの器体ケース内の取付体の螺合部に螺合配設して器体ケースの内面若しくは締付押圧当接部を器体ケースの内面に押圧するように構成しているので、この調整ネジを器体ケース内に配設して外部から見えないように構成でき見た目の体裁が良く、また、この調整ネジを器体ケースから外部に露出しないように構成でき、この調整ネジに何かが当接して衝撃によりこの調整ネジが僅かに螺動して前記気泡位置が狂ってしまうといったことも生じ得ず、この調整ネジにより修正した前記気泡位置を確実に保持できる。
【００１８】
よって、本発明は、器体ケース内に取付体を配設し、器体ケースの貫通孔と取付体の軸挿通孔とを合わせる作業をスムーズに行えると共にこの連通合致した貫通孔と軸挿通孔とに軸部材を連通配設するだけの単純作業で器体ケース内の所定位置に取付体を簡単に微動回動自在に設けることができ、この微動回動自在な取付体を、調整ネジを締め付け操作するだけで簡単に器体ケース内に固定でき、しかも、この調整ネジを利用して取付体の固定姿勢を微動回動調整する作業も行うことができ、たった一本の調整ネジの螺動操作によって取付体を固定する作業とこの取付体の固定姿勢を微動回動調整して気泡位置を修正する作業との双方の作業を簡単に、且つ、確実に行えるうえに、この調整ネジは器体ケース内に設けられているが故に外部からは見えず非常に体裁が良く、更に調整ネジが外部から隔離された器体ケース内のスペースに設けることができるので調整ネジを不意に螺動させてしまうことも無く気泡位置を正しい位置に保持でき測定器としての信頼性にも秀れるなどの実用上の秀れた作用効果を確実に発揮し得る極めて画期的で商品価値の高い水準器となる。
【発明を実施するための最良の形態】
【００１９】
好適と考える本発明の実施形態（発明をどのように実施するか）を、図面に基づいて本発明の作用を示して簡単に説明する。
【００２０】
液体及び気泡を封入した気泡管測定部１を設けた取付基体２を器体ケース３内に配設し、この器体ケース３に形成した貫通孔５と、取付体２に設けた軸挿通孔６とを合致させてこの器体ケース３の貫通孔５に軸部材７を貫通配設して、この軸部材７を前記取付体２の軸挿通孔６に挿通配設することで、この取付体２をこの軸部材７を軸に器体ケース３内に微動回動自在に配設する。
【００２１】
この器体ケース３内に微動回動自在に設けた取付体２の調整ネジ９を螺入操作してこの調整ネジ９を前記器体ケース３の内面に押圧当接させる、若しくは調整ネジ９を螺入操作してこの締付ネジ９の締め付けにより締付押圧当接部12を前記器体ケース３の内面に押圧当接させると、この取付体２の弾圧当接部８は器体ケース３の一側内面に弾圧当接し、この取付体９の前記締付ネジ９若しくは前記締付押圧当接部12は器体ケース３の対向反対側内面に押圧当接して前記軸部材７を軸とした微動回動が阻止されてこの器体ケース３内に取付体２が固定され、この器体ケース３に設けた窓孔４から取付体２の気泡管測定部１を視認できる位置に気泡管測定部１を設けることができる。
【００２２】
前記軸部材７は、例えば、この軸部材７は円柱状若しくは円筒状に形成して、前記器体ケース３の貫通孔５に圧入することでこの貫通孔５に貫通配設する構成とし、前記取付体２の軸挿通孔６はこの軸部材７と略合致する形状に形成して、この軸部材７の外周面に対して取付体２の軸挿通孔６の内面が摺り動して微動回動し得るように構成すれば、この器体ケース３の貫通孔５と取付体２の軸挿通孔６とに連通配設した軸部材７を抜け止めする構成や作業が不要で、単に軸部材７を貫通孔５に圧入状態に入れ込めむ単純な作業で器体ケース３内に取付体２を微動回動自在に設ける作業を極めて簡単に達成できる。
【００２３】
即ち、器体ケース３内に取付体２を配設して器体ケース３の貫通孔５と取付体２の軸挿通孔６とを合わせて前記軸部材７をこの貫通孔５と軸挿通孔６とに連通して、前記調整ネジ９を螺入操作するだけの簡単な作業でこの取付体２を器体ケース３内の所定位置に固定できることとなる。
【００２４】
また、前記調整ネジ９を締め付け方向と反対方向に螺動操作して調整ネジ９若しくは締付押圧当接部12が器体ケース３の内面に押圧当接しないようにしておけば、取付体２を器体ケース内に配設する際に取付体２と器体ケース３の内面とが弾圧若しくは押圧当接せずスムーズにこの取付体２を器体ケース３内に入れ込む作業を行うことができ、よって、この器体ケース３の貫通孔５と取付体２の軸挿通孔６との位置合わせ作業も抵抗無くスムーズに行え、取付体２の取り付け作業を効率良く行える。
【００２５】
このように器体ケース３内に取付体２を配設して固定した際に、仮に器体ケース３に対する取付体２の固定姿勢が狂っていた場合にはこの取付体２に設けた気泡管測定部１の気泡位置も狂ってしまい水平度や垂直度の測定が正確に行えない為、器体ケース３内に取付体２を固定した際にこの取付体２の固定姿勢を正しく修正して気泡位置を修正する作業が必要となるが、本発明においては、取付体２の調整ネジ９の螺合度合いによりこの取付体２の弾圧当接部８の弾圧度合いを変化することで、この取付体２を器体ケース３に対して微動回動調整し、取付体２の固定姿勢を修正すると共に気泡管測定部１の気泡位置を簡単に修正できる。
【００２６】
また、前記弾圧当接部８は、複雑な構成は一切必要無く、例えば、この弾圧当接部８は前記取付体２の端部に設けた撓み屈曲自在な湾曲板状部８とするなどの簡単な構成で良いので生産性に秀れ、また、例えば前記取付体２を樹脂成形品とし、この弾圧当接部８や、前記調整ネジ９を螺合する為の螺合部10などを取付体２を樹脂成形するに際して一体成形により設けるなどして簡単に効率的に生産可能である。
【００２７】
即ち、調整ネジ９を締め付け螺動操作してこの調整ネジ９若しくは前記締付押圧当接部12を器体ケース３の一方の内面に押圧当接させると、取付体２の弾圧当接部８は器体ケース３の対向反対側の内面に弾圧当接しするので、この調整ネジ９を締め付け螺動操作することで弾圧当接部８はそれだけ強く器体ケース３の内面に弾圧当接すると共に押しつぶれるようにして弾性変形し、よって、この弾圧当接部８が弾性変形したぶんだけ取付体２が弾圧当接部８の方に微動回動することとなる。このように、取付体２を器体ケース３内に固定する為の調整ネジ９を螺動操作することで、取付体２を任意の方向に微動回動させる作業も行うことができ、よって、たった一本の調整ネジ９の螺合度合いにより弾圧当接部８の弾圧度合いを変化させることで、取付体２の固定と固定姿勢の調整（気泡位置の修正）の双方を簡単且つ確実に行うことができ、極めて作業効率良く取付体２を器体ケース３に固定できると共に、この取付体２も部品点数が少なく、且つ簡易構成にして簡単に生産可能な構成とすることができ生産性の向上を確実に図れることとなる。
【００２８】
また、前記調整ネジ９は、器体ケース３内にして前記取付体２の側面に設けた螺合部10からこの取付体２に貫通状態に螺合配設しており、この調整ネジ９を締め付け螺動操作すると、この調整ネジ９が器体ケース３の内面に向けて傾斜方向から押圧当接する、若しくはこの調整ネジ９が器体ケース３の内面に向けて傾斜方向から前記締付押圧当接部12を押圧することとなる。
【００２９】
即ち、この調整ネジ９は、器体ケース３の外部からこの器体ケース３内の取付体２に向けて螺合配設するのではなく、器体ケース３内からこの器体ケース３内の取付体２の螺合部10に螺合配設して器体ケース３の内面若しくは締付押圧当接部12を器体ケース３の内面に押圧するように構成しているので、この調整ネジ９を器体ケース３内に配設して外部から見えないように構成でき見た目の体裁が良く、また、この調整ネジ９を器体ケース３から外部に露出しないように構成でき、この調整ネジ９に何かが当接して衝撃によりこの調整ネジ９が僅かに螺動して前記気泡位置が狂ってしまうといったことも生じ得ず、この調整ネジ９により修正した前記気泡位置を確実に保持できる信頼性の高い構成となる。
【００３０】
従って、本発明は、器体ケース３内に取付体２を配設し、器体ケース３の貫通孔５と取付体２の軸挿通孔６とを合わせる作業をスムーズに行えると共にこの連通合致した貫通孔５と軸挿通孔６とに軸部材７を連通配設するだけの単純作業で器体ケース３内の所定位置に取付体２を簡単に微動回動自在に設けることができ、この微動回動自在な取付体２を、調整ネジ９を締め付け操作するだけで簡単に器体ケース３内に固定でき、しかも、この調整ネジ９を利用して取付体２の固定姿勢を微動回動調整する作業も行うことができ、たった一本の調整ネジ９の螺動操作により極めて簡単に、且つ確実に取付体２を器体ケース３内に精度良く固定することができるうえに、この調整ネジ９は器体ケース内に設けられているが故に外部からは見えず非常に体裁が良く、更に調整ネジ９が外部から隔離された器体ケース３内のスペースに設けることができるので調整ネジ９を不意に螺動させてしまうことも無く気泡位置を正しい位置に確実に保持でき測定器としての信頼性にも秀れるなどの、実用上の秀れた作用効果を確実に発揮し得る商品価値の高い水準器となる。
【００３１】
また、例えば、前記取付体２は、この取付体２に設けた気泡管測定部１を介して一端側に前記軸部材７を嵌挿配設する軸挿通孔６を設け、他端側に前記弾圧当接部８及び螺合部10を設けた構成とすれば、微動回動軸となる軸部材７を嵌挿配設する軸挿通孔６と、弾圧当接部８及び前記調整ネジ９を螺合配設する螺合部10とが、気泡管測定部１を介して反対方向に位置するように構成したから、それだけ取付体２の微動回動軸である軸部材７に対して、弾圧当接部８や螺合部10が離れた位置となり、それだけ螺合部10に螺合配設した前記調整ネジ９の螺合度合いの変化量に対する取付体２の固定姿勢の変化量（微動回動角）が小さくなり、よって、調整ネジ９の螺動操作により取付体２の固定姿勢を一層細かく微調整でき、一層精度良く気泡管測定部１の気泡位置を修正できることとなる。更に、この取付体２の端部に螺合部10を設けている為、例えば、この取付体２を軸挿通孔６を設けた側から、器体ケース３の端部開口部３ａよりこの器体ケース３内に挿入配設し得るように構成すれば、この器体ケース３内に配設した取付体２の螺合部10に螺合配設した調整ネジ９を、この器体ケース３の端部開口部３ａから工具を差し込んで簡単に螺動操作し得る構成とすることができ、取付体２の固定及び固定姿勢の微動回動調整（気泡位置の修正）を一層簡便に行える構成にできることとなる。
【実施例】
【００３２】
本発明の具体的な実施例について図面に基づいて説明する。
【００３３】
本実施例は、液体及び気泡を封入した気泡管測定部１を設けた取付体２を器体ケース３内に配設し、この器体ケース３に設けた窓孔４から前記気泡管測定部１を視認できる所定位置にこの取付基体２を固定すると共に、この取付体２を器体ケース３に対して微動回動調整して前記気泡管測定部１に封入した気泡位置を修正する構成とした水準器において、前記器体ケース３に設けた貫通孔５に連通合致する軸挿通孔６を前記取付体２に設け、この取付体２を前記器体ケース３内に配設し、この器体ケース３の貫通孔５に軸部材７を貫通配設してこの軸部材７を取付体２の軸挿通孔６に挿通配設することでこの取付体２をこの軸部材７を軸に器体ケース３に対して微動回動自在に設け、この取付体２は、器体ケース３の一側内面に対して弾圧当接する弾圧当接部８と器体ケース３の対向反対側内面に対して押圧当接する調整ネジ９とを設けた構成とし、この調整ネジ９は、前記器体ケース３内にして前記取付体２の側面に設けた螺合部10からこの取付体２に貫通状態に螺合配設して、器体ケース３の内面に対して傾斜方向から押圧当接するように構成し、この調整ネジ９を螺動操作して調整ネジ９の螺合度合いによって前記弾圧当接部８の弾圧度合いを変化することで取付体２を器体ケース３に固定すると共に取付体２を器体ケース３に対して微動回動調整して前記気泡管測定部１の気泡位置を修正し得るように構成したものである。
【００３４】
器体ケース３は、図１に図示したように、蓋部材14により開閉自在な端部開口部３ａを有している。また、左右両側面に前記取付体２の気泡管測定部１を視認する為の窓孔４を設けた構成である。
【００３５】
また、前記窓孔４を設けた側面と直交する一側面を、測定したい測定面に当てがう基準面３ｂとしており、この基準面３ｂと対向反対側の一側面には、図３に図示したように、後述の取付体２のミラー視認機構Ｍのミラー16を介して気泡管測定部１を視認できるミラー視認用窓孔17を設けた構成としている。
【００３６】
また、この器体ケース３の貫通孔５は、この器体ケース３の前記窓孔４を設けた両側面に設けており、前記軸部材７を図２に図示したように円筒状に形成し、この軸部材７の外径と略合致する内径に前記貫通孔５の孔形状を設定している。尚、前記軸部材７は円柱状でも良い。
【００３７】
この器体ケース３の両側面に設けた貫通孔５に前記軸部材７をむりばめして圧入状態に貫通配設することで、この貫通孔５に軸部材７が抜け止め圧接固定する構成としている。尚、この軸部材７は、例えば、ボルトとナットなどの締結具とし、貫通孔５にボルトを挿通配設してナットで抜け止め配設した構成としても良い。
【００３８】
取付体２は、樹脂成形品とし、図１及び図２に図示したように、この取付体２の略中央部位置に一体成形により設けた取付嵌着凹部２ａに、気泡管測定部１を有する透明樹脂性の気泡管式測定器13を嵌着してこの取付体２気泡管測定部１を設けた構成である。
【００３９】
また、この取付体２の弾圧当接部８は、図１及び図２に図示したように、この取付体２の端部に設けた撓み屈曲自在な湾曲板状部８としている。この湾曲板状部８は、図１に図示したように、前記気泡管測定部１を介して軸挿通孔６の反対側端部の一側部に設けている。尚、この湾曲板状部８は複数設けても良いが、簡易生産性を考慮して本実施例においては一体のみ設けている。また、この弾圧当接部８は、本実施例の構成に限らず、適宜な可撓性を有し弾性変形可能な構成とすれば良い。
【００４０】
また、この取付体２の螺合部10は、図１に図示したように、前記気泡管測定部１を介して軸挿通孔６と反対側端部にして前記湾曲板状部８と反対側部に設けている。
【００４１】
この螺合部10は、調整ネジ９をこの螺合部10に螺合配設して取付体２を器体ケース３の端部開口部３ａから器体ケース３内に挿入配設した際に、図１に図示したように、この調整ネジ９が器体ケース３の端部開口部３ａからこの器体ケース３の内面に向けて傾斜状態に螺入し得るようにこの螺合部10を設定している。具体的には、図１及び図２に図示したように、取付体２の端部に先細り形状部11を形成し、この先細り形状部11に貫通状態に設けている。即ち、前記調整ネジ９を傾斜状態に、且つ、貫通状態に螺合配設しやすい先細り形状部11に螺合部10を設けることでこの調整ネジ９を良好に取付体２に対して傾斜状態に、且つ、貫通状態に螺合配設できる構成とし、且つ、この先細り形状部11の先細り形状により、前記弾圧当接部８（湾曲板状部８）を設けるスペースをこの取付体２の螺合部10の近く（図１中、横並びな位置）に設けることができ、取付体２をそれだけコンパクトな形状としている。
【００４２】
尚、本実施例においては、前記器体ケース３の内面に調整ネジ９の先端を直接、押圧当接するように構成しているが、例えば、図４に図示したように、この調整ネジ９の締め付けにより器体ケース３の内面に押圧当接する締付押圧当接部12を取付体２に設け、この締付押圧当接部12を介して前記調整ネジ９による器体ケース３の内面への押圧当接を発揮し得る構成としても良い。この場合には、締付押圧当接部12は前記調整ネジ９の締め付け力によって押圧変形する適宜な可撓性を有する構成として取付体２の樹脂成形時に一体成形により設けた構成とし、この調整ネジ９の螺合度合いによってこの締付押圧当接部12の押圧変形度合い、及び前記弾圧当接部８（湾曲板状部８）の弾圧度合いを変化して、取付体２の固定姿勢を微動回動調整し得るように構成すれば良い。
【００４３】
この取付体２の軸挿通孔６は、図１及び図２に図示したように、内径が均一な断面円形の孔形状に形成し、更に、前記軸部材７が略合致する内径とすると共に、この軸挿通孔６と軸部材７との僅かなクリアランスにより、軸部材７の外周面に対して取付体２の軸挿通孔６の内面を摺り動してこの軸部材７に対して取付体２が回動自在となるようにｋの軸挿通孔６及び軸部材７の形状を設定している。
【００４４】
尚、この取付体２の弾圧当接部８（湾曲板状部８），螺合部10及び軸挿通孔６は、取付体２の樹脂成形に際して一体成形により設けた構成としている。
【００４５】
従って、この取付体２は、樹脂成形により効率良く量産が可能で生産性に秀れる。
【００４６】
また、この取付体２には、ミラー視認機構Ｍを設けており、この取付体２を器体ケース３内に配設し固定した際にこの取付体２の気泡管測定部１が器体ケース３の窓孔４からだけでなく、器体ケース３の窓孔４と異なる側面に設けたミラー視認用窓孔17からもミラー16を介して前記気泡管測定部１を視認し得るように構成している。
【００４７】
このミラー視認機構Ｍは、図１に図示したように、取付体２の気泡管測定部１の気泡管式測定器13を嵌着する取付嵌着凹部２ａの上部と連通する導光路15を取付体２に設け、この導光路15は前記取付嵌着凹部２ａの上部からこの取付体２の側部の導光開口部15ａに連通すると共に、この導光路15の途中位置に傾斜面18を形成してこの傾斜面18にミラー16を沿設配設した構成である。
【００４８】
従って、このミラー視認機構Ｍにより、器体ケース３内に取付体２を配設し固定した際、図１に図示したように、この取付体２の気泡管測定部１の上部を、導光路15のミラー16に反射させてこの導光開口部15ａを通じて器体ケース３のミラー視認用窓孔17から視認できる。
【００４９】
尚、図中、記号19は、水平度測定用気泡管19であり、器体ケース３の基準面３ｂを測定したい測定面に当てがった際に、この水平度測定用気泡管19によりこの測定面の水平度を測定できる。
【００５０】
本実施例は上述のように構成したから、器体ケース３の端部開口部３ａからこの器体ケース３内に、取付体２を軸挿通孔６を設けた側から挿入配設する際に、この取付体２の調整ネジ９を締め付け方向と反対方向に螺動操作しておくことで、この取付体２の弾圧当接部８及び調整ネジ９を器体ケース３の内面に弾圧当接若しくは押圧当接させることなくこの取付体２を器体ケース３の奥方へと挿入することができる為、抵抗無くスムーズにこの取付体２を器体ケース３の所定の奥方位置へと挿入させることができ、この取付体２の軸挿通孔６と器体ケース３の貫通孔５との位置を合わせて軸部材７を連通配設する作業も極めてスムーズに行える。また、この軸部材７も単に器体ケース３の貫通孔５にこの軸部材７をむりばめして圧入状態に貫通配設するだけでこの軸部材７を貫通孔５に抜け止め状態に設けることができるので、この点においても効率良く作業を進展できる。
【００５１】
また、このように軸部材７により微動回動自在に器体ケース３内に設けた取付体２に螺合配設した調整ネジ９を、器体ケース３の端部開口部３ａから工具を挿入して簡単に螺動操作できると共に、この調整ネジ９の螺動操作により、取付体２を器体ケース３に固定することと、この取付体２の取付姿勢を微動回動修正することとの双方の作業を、この一本の調整ネジ９の螺動操作によって行うことができ、簡単に前記取付体２を精度良く器体ケース３に固定することができる。
【００５２】
また、この取付体２は樹脂成形品でありこの取付体２の弾圧当接部８や螺合部10、軸挿通孔６などこの取付体２を器体ケース３内に固定する為の構成をこの取付体２自体の樹脂成形に際して一体成形により設けた構成としており、一体成形品故に部品点数も少なく容易に量産可能で生産性やコスト面においても秀れることとなる。
【００５３】
よって、本実施例は、器体ケース３内に取付体２をスムーズに挿入配設でき、この器体ケース３の貫通孔５と取付体２の軸挿通孔６とを合わせる作業もスムーズに行えると共に、この連通合致した貫通孔５と軸挿通孔６とに軸部材７を圧入するだけの極めて単純な作業で器体ケース３内の所定位置にこの取付体２を微動回動自在に設けることができ、更に、この微動回動自在な取付体２を、器体ケース３の端部開口部３ａから工具を入れて螺動操作するだけで確実に気泡位置を修正して精度良く取付体２を器体ケース３内に固定でき、更にこの調整ネジ９は器体ケース内に設けられているが故に外部からは見えず非常に体裁が良く、更に調整ネジ９が外部から隔離された器体ケース３内のスペースに設けることができるので調整ネジ９を不意に螺動させてしまうことも無く気泡位置を正しい位置に確実に保持でき測定器としての信頼性に秀れ、更に簡易構成にして部品点数も少なく量産が容易で生産性やコスト面にも秀れた極めて実用性の高い画期的で商品価値の高い水準器となる。
【００５４】
尚、本発明は、本実施例に限られるものではなく、各構成要件の具体的構成は適宜設計し得るものである。
【図面の簡単な説明】
【００５５】
【図１】本実施例に係る水準器の説明正面断面図である。
【図２】本実施例に係る水準器の要部説明斜視図である。
【図３】本実施例に係る水準器の使用状態を示す説明斜視図である。
【図４】本実施例に係る水準器の別例を示す説明正面断面図である。
【符号の説明】
【００５６】
１  気泡管測定部
２  取付体
３  器体ケース
３ａ  端部開口部
４  窓孔
５  貫通孔
６  軸挿通孔
７  軸部材
８  弾圧当接部，湾曲板状部
９  調整ネジ
10  螺合部
11  先細り形状部
12  締付押圧当接部
【図１】
2007040716.tif 000003
【図２】
2007040716.tif 000004
【図３】
2007040716.tif 000005
【図４】
2007040716.tif 000006